(57)【要約】【課題】  コインランドリーを使用した洗濯の代行を個人間で発注・受注できるようにした支援システムを提供する。【解決手段】  洗濯を依頼する依頼者は依頼者端末４を操作して支援サーバ１に依頼情報を送信し、依頼情報は依頼情報ファイル２１に記録される。代行員は依頼情報を閲覧し、代行の意志がある場合、応募通知を代行員端末５から送信する。依頼者が特定の代行員に依頼すると決めると、依頼者端末４から依頼通知が送信され、支援サーバ１経由で当該代行員の代行員端末５に送信される。依頼通知に応じた代行員は代行員端末５から受注通知を送信し、依頼情報に従って依頼者から洗濯物を受け取る。そして、コインランドリーで洗濯して洗濯済みの物を依頼者に引き渡す。【選択図】  図１
2020038484.tif 000002
【特許請求の範囲】
【請求項１】
コインランドリーを使用した洗濯を他人（コインランドリーを運営する事業主体を除く）に依頼する際に使用されるコインランドリー洗濯代行マッチング支援システムであって、
洗濯を依頼する依頼者が操作する端末である依頼者端末と、コインランドリーを使用した洗濯を代行する代行員（コインランドリーを運営する事業主体を除く）が操作する端末である代行員端末との双方からアクセスがされる支援サーバと、
記憶部と
を備えており、
支援サーバは、依頼情報登録手段、代行可能情報登録手段及び依頼通知手段として機能するサーバであり、
依頼情報登録手段は、依頼者が洗濯物を代行員に渡して洗濯を依頼することを希望する日時である依頼希望日時を含む依頼情報を、依頼者端末からの送信に従って依頼情報ファイルに記録する手段であり、
代行可能情報登録手段は、コインランドリーを使用した洗濯の代行の依頼を受けることができる地域の情報を含む代行可能情報を、代行員端末からの送信に従って代行可能情報ファイルに記録する手段であり、
依頼通知手段は、依頼者端末からの送信に従って代行員端末に依頼希望日時を送信して洗濯代行の依頼を通知する手段であることを特徴とするコインランドリー洗濯代行マッチング支援システム。
【請求項２】
前記支援サーバは、受注通知手段として機能するサーバであり、
受注通知手段は、前記依頼通知手段が依頼を通知した代行員に依頼を承諾した旨の送信を代行員端末により行わせる手段であり、当該受注通知を、前記依頼通知を送信した依頼者端末に送信する手段であることを特徴とする請求項１記載のコインランドリー洗濯代行マッチング支援システム。
【請求項３】
前記支援サーバは、前記代行員端末から送信された前記代行可能情報を前記依頼者端末に送信して依頼者に閲覧させる代行可能情報閲覧手段として機能するサーバであり、
前記依頼通知手段は、代行可能情報閲覧手段が閲覧させた代行可能情報について前記依頼通知の送信を前記依頼者端末により依頼者に行わせることができる手段であることを特徴とする請求項１又は２記載のコインランドリー洗濯代行マッチング支援システム。
【請求項４】
前記代行可能情報閲覧手段は、複数の異なる代行員についての代行可能情報を閲覧させることができる手段であり、
前記依頼通知手段は、いずれかの代行員を選択して前記依頼通知の送信を前記依頼者端末に行わせることができる手段であることを特徴とする請求項３記載のコインランドリー洗濯代行マッチング支援システム。
【請求項５】
前記代行可能情報閲覧手段は、前記各代行員の評価とともに前記代行可能情報を閲覧させることができる手段であることを特徴とする請求項４記載のコインランドリー洗濯代行マッチング支援システム。
【請求項６】
前記代行可能情報には、前記代行員の性別が含まれており、
前記依頼通知手段は、前記依頼者が性別を選択した上で前記依頼通知の送信を行わせることができる手段であることを特徴とする請求項１乃至５いずれかに記載のいコインランドリー選択代行マッチング支援システム。
【請求項７】
コインランドリーを使用した洗濯を他人（コインランドリーを運営する事業主体を除く）に依頼する際に使用されるコインランドリー洗濯代行マッチング支援システムであって、
洗濯を依頼する依頼者が操作する端末である依頼者端末と、コインランドリーを使用した洗濯を代行する代行員（コインランドリーを運営する事業主体を除く）が操作する代行員端末との双方からアクセスがされる支援サーバと、
記憶部と
を備えており、
支援サーバは、依頼情報登録手段、依頼情報閲覧手段及び応募通知手段として機能するサーバであり、
依頼情報登録手段は、依頼者が洗濯物を代行員に渡して洗濯を依頼することを希望する日時である依頼希望日時を含む依頼情報を、依頼者端末からの送信に従って依頼情報ファイルに記録する手段であり、
依頼情報閲覧手段は、依頼者端末から送信された依頼情報を代行員端末に送信して代行員に閲覧させる手段であり、
応募通知手段は、代行員が閲覧した依頼情報について代行を行う用意がある旨の応募の通知を代行員端末により代行員に行わせる手段であり、送信された応募通知を当該依頼情報を送信した依頼者の依頼者端末に送信する手段であることを特徴とするコインランドリー洗濯代行マッチング支援システム。
【請求項８】
前記支援サーバは、発注通知手段として機能するサーバであり、
発注通知手段は、前記応募通知がされた依頼について洗濯を発注する旨の通知を前記依頼者端末により依頼者に送信させる手段であり、送信された発注通知を前記応募通知をした代行員に係る代行員端末に送信する手段であることを特徴とする請求項７記載のコインランドリー洗濯代行マッチング支援システム。
【請求項９】
前記応募通知手段は、代行員の性別が特定できる状態で前記応募通知を前記依頼者端末に送信する手段であり、
前記発注通知手段は、依頼者が性別を確認した上で前記発注通知の送信を行わせることができる手段であることを特徴とする請求項８記載のコインランドリー選択代行マッチング支援システム。
【発明の詳細な説明】
【技術分野】
【０００１】
この出願の発明は、コインランドリーを使用した洗濯の代行の依頼をする側と依頼を受ける側とのマッチングを支援するシステムに関するものである。
【背景技術】
【０００２】
コインランドリーは、自宅に洗濯機のない者にとって便利な設備であり、利用が広がっている。また、一度に大量の洗濯ができたり、乾燥まで行ったりすることも可能であることから、あえて自宅には洗濯機を置かずにコインランドリーを利用したり、洗濯機があっても雨天時等にはコインランドリーを使用する場合もある。
その一方、コインランドリーは、洗濯をしている間はその場所で待機していなければならず、時間を取られてしまう。洗濯をしながら部屋の掃除をするといったことができないため、忙しい兼業主婦等の場合には利用が躊躇われてしまう面もある。
また、洗濯物を預けたり洗濯された物を受け取ったりするためのロッカーを設けたコインランドリーも知られているが（非特許文献１）、ロッカーはコインランドリー内に設けられており、コインランドリーまで出向かなければならないという不便さがある。
【先行技術文献】
【非特許文献】
【０００３】
【非特許文献１】http://www.laundry-raccoon.com/agency.html
【発明の概要】
【発明が解決しようとする課題】
【０００４】
本願の発明は、上記のようなコインランドリーの利用を巡る不便さを解消すべく為されたものであり、コインランドリーを使用した洗濯の代行を個人間で発注・受注できるようにした支援システムを提供することを目的とする。
【課題を解決するための手段】
【０００５】
上記課題を解決するため、本願の請求項１記載の発明は、コインランドリーを使用した洗濯を他人（コインランドリーを運営する事業主体を除く）に依頼する際に使用されるコインランドリー洗濯代行マッチング支援システムであって、
洗濯を依頼する依頼者が操作する端末である依頼者端末と、コインランドリーを使用した洗濯を代行する代行員（コインランドリーを運営する事業主体を除く）が操作する端末である代行員端末との双方からアクセスがされる支援サーバと、
記憶部と
を備えており、
支援サーバは、依頼情報登録手段、代行可能情報登録手段及び依頼通知手段として機能するサーバであり、
依頼情報登録手段は、依頼者が洗濯物を代行員に渡して洗濯を依頼することを希望する日時である依頼希望日時を含む依頼情報を、依頼者端末からの送信に従って依頼情報ファイルに記録する手段であり、
代行可能情報登録手段は、コインランドリーを使用した洗濯の代行の依頼を受けることができる地域の情報を含む代行可能情報を、代行員端末からの送信に従って代行可能情報ファイルに記録する手段であり、
依頼通知手段は、依頼者端末からの送信に従って代行員端末に依頼希望日時を送信して洗濯代行の依頼を通知する手段であるという構成を有する。
また、上記課題を解決するため、請求項２記載の発明は、前記請求項１の構成において、前記支援サーバは、受注通知手段として機能するサーバであり、
受注通知手段は、前記依頼通知手段が依頼を通知した代行員に依頼を受任した旨の送信を代行員端末により行わせる手段であり、当該受注通知を、前記依頼通知を送信した依頼者端末に送信する手段であるという構成を有する。
また、上記課題を解決するため、請求項３記載の発明は、前記請求項１又は２の構成において、前記支援サーバは、前記代行員端末から送信された前記代行可能情報を前記依頼者端末に送信して依頼者に閲覧させる代行可能情報閲覧手段として機能するサーバであり、
前記依頼通知手段は、代行可能情報閲覧手段が閲覧させた代行可能情報について前記依頼通知の送信を前記依頼者端末に行わせることができる手段であるという構成を有する。
また、上記課題を解決するため、請求項４記載の発明は、前記請求項３の構成において、前記代行可能情報閲覧手段は、複数の異なる代行員についての代行可能情報を閲覧させることができる手段であり、
前記依頼通知手段は、いずれかの代行員を選択して前記依頼通知の送信を前記依頼者端末に行わせることができる手段であるという構成を有する。
また、上記課題を解決するため、請求項５記載の発明は、前記請求項１乃至４いずれかの構成において、前記代行可能情報閲覧手段は、前記各代行員の評価とともに前記代行可能情報を閲覧させることができる手段であることを特徴とする請求項４記載のコインランドリー洗濯代行マッチング支援システム。
また、上記課題を解決するため、請求項６記載の発明は、前記請求項１乃至５いずれかの構成において、前記代行可能情報には、前記代行員の性別が含まれており、
前記依頼通知手段は、前記依頼者が性別を選択した上で前記依頼通知の送信を行わせることができる手段であるという構成を有する。
また、上記課題を解決するため、請求項７記載の発明は、コインランドリーを使用した洗濯を他人（コインランドリーを運営する事業主体を除く）に依頼する際に使用されるコインランドリー洗濯代行マッチング支援システムであって、
洗濯を依頼する依頼者が操作する端末である依頼者端末と、コインランドリーを使用した洗濯を代行する代行員（コインランドリーを運営する事業主体を除く）が操作する代行員端末との双方からアクセスがされる支援サーバと、
記憶部と
を備えており、
支援サーバは、依頼情報登録手段、依頼情報閲覧手段及び応募通知手段として機能するサーバであり、
依頼情報登録手段は、依頼者が洗濯物を代行員に渡して洗濯を依頼することを希望する日時である依頼希望日時を含む依頼情報を、依頼者端末からの送信に従って依頼情報ファイルに記録する手段であり、
依頼情報閲覧手段は、依頼者端末から送信された依頼情報を代行員端末に送信して代行員に閲覧させる手段であり、
応募通知手段は、代行員が閲覧した依頼情報について代行を行う用意がある旨の応募の通知を代行員端末により代行員に行わせる手段であり、送信された応募通知を当該依頼情報を送信した依頼者の依頼者端末に送信する手段であるという構成を有する。
また、上記課題を解決するため、請求項８記載の発明は、前記請求項７の構成において、前記支援サーバは、発注通知手段として機能するサーバであり、
発注通知手段は、前記応募通知がされた依頼について洗濯を発注する旨の通知を前記依頼者端末により依頼者に送信させる手段であり、送信された発注通知を前記応募通知をした代行員に係る代行員端末に送信する手段であるという構成を有する。
また、上記課題を解決するため、請求項９記載の発明は、前記請求項８の構成において、前記応募通知手段は、代行員の性別が特定できる状態で前記応募通知を前記依頼者端末４に送信する手段であり、
前記発注通知手段は、依頼者が性別を確認した上で前記発注通知の送信を行わせることができる手段であるという構成を有する。
【発明の効果】
【０００６】
以下に説明する通り、本願の請求項１又は７記載の発明によれば、コインランドリーを利用しようと思っていても忙しくて利用できないでいた者が、代行サービスを利用することで手軽にコインランドリーを利用できるようになる。このため、兼業主婦等の忙しい者にとってより利便性の高いサービスとなる。また、代行員にとっては、余った時間を有効活用することで収入が得られることになり、比較的時間のある学生や専業主婦等にとって有益となる。さらに、コインランドリーの事業者にとっても、コインランドリーの回転率が向上するため、収益性の向上が期待できる。
また、請求項２記載の発明によれば、上記効果に加え、依頼者が依頼通知をした後、代行員から受注通知が送信されるので、代行員が依頼を了解した旨が依頼者において確認できる。このため、依頼者において依頼が了解されていないのではないかという不安にかられることがなくなる。
また、請求項３記載の発明によれば、上記効果に加え、代行可能情報を見てから依頼通知をすることができ、代行可能情報に応じて時間を変更することができるので、より柔軟に依頼をすることができる。
また、請求項４記載の発明によれば、上記効果に加え、代行可能な代行員の中から依頼者が特定の代行員を選んで依頼することができる。このため、例えば以前に依頼して良い印象であった代行員に依頼するなどすることができ、より安心して依頼をする上で好適な構成となる。
また、請求項５記載の発明によれば、上記効果に加え、依頼者は評価の良い代行員を選んで依頼することができるようになるし、代行員はより良い評価がされるように質の良いサービスを提供するようになるから、代行サービスの信頼性を高めることができる。
また、請求項６又は９記載の発明によれば、上記効果に加え、性別の観点で依頼が躊躇われる代行員を避けて依頼をすることができるので、洗濯代行のサービスがより利用し易くなる。
また、請求項８記載の発明によれば、上記効果に加え、発注通知が代行員端末に送信されるので、代行員において自己に発注があった旨を確認することができる。このため、代行員において安心して依頼を遂行することができる。
【図面の簡単な説明】
【０００７】
【図１】実施形態に係るコインランドリー洗濯代行マッチング支援システムの概略図である。
【図２】支援サーバによって提供される支援サイトのトップページの一例を示した概略図である。
【図３】依頼者会員登録ページの一例を示した概略図である。
【図４】依頼者情報ファイルの構造の一例を示した概略図である。
【図５】ＣＬ情報ファイルの構造の一例を示した概略図である。
【図６】代行員会員登録ページの一例を示した概略図である。
【図７】代行員情報ファイルの構造の一例を示した概略図である。
【図８】依頼者トップページの一例を示した概略図である。
【図９】依頼情報登録ページの一例を示した概略図である。
【図１０】依頼情報ファイルの構造の一例を示した概略図である。
【図１１】代行員閲覧プログラムの実行結果を示した画面の一例を示した概略図である。
【図１２】代行員トップページの概略図である。
【図１３】依頼情報閲覧プログラムの実行結果の一例を示す概略図である。
【図１４】依頼情報詳細表示プログラムの実行結果の一例を示した概略図である。
【図１５】応募通知メールの一例を示した概略図である。
【図１６】代行員端末５に送信された依頼通知メールの一例を示した概略図である。
【図１７】完了通知ページの一例を示した概略図である。
【発明を実施するための形態】
【０００８】
以下、この出願の発明を実施するための形態（実施形態）について説明する。
図１は、実施形態に係るコインランドリー洗濯代行マッチング支援システムの概略図である。実施形態のコインランドリー洗濯代行マッチング支援システム（以下、単に支援システムという。）は、コインランドリーを使用した洗濯を他人に依頼する際に使用されるシステムである。この場合の「他人」には、コインランドリー自体は含まれない。つまり、コインランドリーを運営している事業主体に依頼する態様は、この実施形態では除外されている。
【０００９】
図１に示すように、支援システムは、サーバ（以下、支援サーバ）１と、記憶部２とを備えている。
支援サーバ１はインターネット９上のサーバであり、各種ウェブページを提供するウェブサーバである。
支援サーバ１は、コインランドリー洗濯代行のマッチングサービスの事業を行う事業主体（以下、マッチング事業者）が運営している。但し、マッチング事業者がホスティングサービスを利用している場合もあり、必ずしもマッチング事業者の所有という訳ではない。
【００１０】
記憶部２は、支援サーバ１が備えるハードディスクのようなストレージの場合が多いが、支援サーバ１とは別のサーバ上に設けられていても良い。
記憶部２には、依頼情報ファイル２１と、代行可能情報ファイルとが記憶されている。依頼情報ファイル２１は、コインランドリーを使用した洗濯の代行を依頼する者（以下、単に依頼者という。）が送信した依頼情報を記憶したファイルである。代行可能情報ファイルは、コインランドリーを使用した洗濯を代行する者（以下、単に代行員という。）が送信した代行可能情報を記録したファイルである。代行可能情報は、この実施形態では代行員情報として登録されており、代行可能情報ファイルは、この実施形態では代行員情報ファイル２２である。
【００１１】
実施形態の支援システムは、依頼情報登録手段、代行可能情報登録手段、依頼通知手段、受注通知手段、応募通知手段、及び発注通知手段を備えており、支援サーバ１はこれらの手段として機能するものとなっている。
より具体的に説明すると、支援サーバ１には、依頼情報登録プログラム３１と、代行可能情報登録プログラムとしての代行員会員登録プログラム３２と、依頼通知プログラム３３と、受注通知プログラム３４と、応募通知プログラム３５と、発注通知プログラム３６とが実装されている。
【００１２】
支援サーバ１は、コインランドリー洗濯代行のマッチングサービスの支援サイト（以下、単に支援サイトという。）を提供するものとなっている。支援サイトのＵＲＬには、ブラウザの検索エンジンにおいて、「コインランドリー」、「洗濯代行」、「マッチング」などのヒットするキーワードが登録されている。記憶部２には、支援サイトの各ページを提供するＨＴＭＬファイル（不図示）が記憶されている。
マッチングサービスは、この実施形態では、会員登録をして利用するサービスとなっている。会員登録には、依頼者としての会員登録と、代行員としての会員登録とがある。
【００１３】
図２は、支援サーバ１によって提供される支援サイトのトップページの一例を示した概略図である。各図では、支援サイトの各ページがスマートフォンのような携帯端末４，５に表示された状態が示されているが、デスクトップＰＣやノートパソコンのようなＰＣに表示されるものであっても良いことは勿論である。
尚、図１に示すように、各依頼者は依頼者端末４を操作し、インターネット９を介して支援サーバ１にアクセスする。また、各代行員は代行員端末５を操作し、インターネット９を介して支援サーバ１にアクセスする。
【００１４】
図２に示すように、トップページには、コインランドリー洗濯代行マッチングについての説明（テキスト）が表示されるようになっている。それとともに、トップページには、依頼者会員登録ボタン６１と、代行員会員登録ボタン６２とが設けられている。
依頼者会員登録ボタン６１には、依頼者会員登録ページがリンクしている。図３は、依頼者会員登録ページの一例を示した概略図である。図３に示すように、依頼者登録ページには、各個人情報を入力する個人情報入力欄と、入力情報の確認ボタン６３とが設けられている。確認ボタン６３には、入力情報の確認表示ページがリンクしており、確認表示ページには送信ボタンが設けられている。支援サーバ１には依頼者会員登録プログラム３７が実装されており、この送信ボタンが依頼者会員登録プログラム３７の実行ボタンとなっている。
【００１５】
記憶部２には、依頼者情報ファイル２３が記憶されている。図４は、依頼者情報ファイル２３の構造の一例を示した概略図である。図４に示すように、依頼者情報ファイル２３は、上記依頼者会員登録ページで入力された情報を依頼者会員ごとに記録するデーベースファイルである。依頼者会員登録プログラム３７は、送信ボタンが押されると、新たに依頼者会員ＩＤを生成し、入力された各情報を依頼者会員ＩＤとともに依頼者情報ファイル２３の新たなレコードに記録するプログラムである。
【００１６】
また、図３に示すように、依頼者会員登録ページには、「近くのコインランドリー」と標記されたボタン（以下、近隣ＣＬ表示ボタン）６４が設けられている。近隣ＣＬ表示ボタン６４は、個人情報入力欄のうちの住所に入力された情報に従い、近隣のコインランドリーを地図上に表示するボタンとなっている。
【００１７】
より具体的に説明すると、記憶部２には、コインランドリーの情報を記録したデータベースファイルであるＣＬ情報ファイル２４が記憶されている。図５は、ＣＬ情報ファイルの構造の一例を示した概略図である。図５に示すように、ＣＬ情報ファイル２４は、「ＣＬＩＤ」、「施設名」、「所在地」、「電話番号」、「営業開始時間」、「営業終了時間」、「洗濯単価」、「乾燥単価」等のフィールドから成るレコードを多数記録したデータベースファイルである。「ＣＬＩＤ」は、各コインランドリーを特定するＩＤ、「施設名」はコインランドリーの名前、「所在地」はコインランドリーのある場所の住所、「電話番号」はコインランドリーの運営主体の連絡先としての電話番号、「営業開始時間」はコインランドリーの営業開始時間、「営業終了時間」は営業終了時間をそれぞれ記録するフィールドである。また、「洗濯単価」は、そのコインランドリー内の洗濯機を使用して洗濯ができる最低の単価が記録されるフィールドであり、「乾燥単価」は、そのコインランドリー内の乾燥器を使用して乾燥ができる最低の単価が記録されるフィールドである。このようなＣＬ情報ファイルは、マッチング事業者における担当者が予め作成し、管理用の端末１０からアップロードして記憶部２に記憶しておく。
【００１８】
近隣ＣＬ表示ボタン６４には、住所に入力された情報でＣＬ情報ファイル２４を検索し、当該住所に近いコインランドリーの情報を取得して表示する近隣ＣＬ表示プログラムが埋め込まれている。例えば、ＣＬ情報ファイル２４には「所在地」を経度・緯度情報に変換したフィールドが設けられており、近隣ＣＬ表示プログラムは、代行員会員登録ページの住所入力欄に入力された住所も経度・緯度情報に変換した上で経度・緯度情報から近い順に所定数のレコードの情報を取得して表示するようプログラミングされている。近隣ＣＬ表示プログラムの実行結果の図示は省略するが、例えば、コインランドリーの施設名等とともに目印を地図上に表示するようプログラミングされる。
【００１９】
そして、図３に示すように、依頼者会員登録ページには、ＣＬ登録欄６５が設けられている。ＣＬ登録欄６５は、依頼者が近隣のコインランドリーの情報をデフォルトとして登録するための欄である。上述した近隣ＣＬ表示ボタン６４を押して近隣のコインランドリーを地図に表示した状態でいずれかの目印を押すと、そのコインランドリーの施設名がＣＬ登録欄６５に表示されるようになっている。ＣＬ登録欄６５に施設名が表示されたコインランドリーの情報は、依頼者情報ファイル２３の「ＣＬＩＤ」のフィールドに記録される。
【００２０】
また、代行員会員登録ボタン６２には、代行員会員登録ページがリンクしている。図６は、代行員会員登録ページの一例を示した概略図である。図６に示すように、代行員会員登録ページには、各個人情報を入力する欄に加え、対応可能地域入力欄６６が設けられている。
対応可能地域入力欄６６は、自身がコインランドリー洗濯代行を行える地域を入力する欄である。この例では、対応可能地域入力欄６６は、対応可能地域をテキストで入力する欄となっている。テキストで入力するとは、対応可能な市町村名を入力するということである。
【００２１】
また、代行員会員登録ページには、対応可能時間入力欄６７が設けられている。対応可能時間入力欄６７は、コインランドリー洗濯代行を行える曜日及び時間帯をデフォルトの情報として登録するための入力欄である。この例では、平日、土曜、日曜祝日の三つに分けて、対応可能な時間の始まりと終わりとを入力する例となっている。
さらに、図示はされていないが、代行員会員登録ページには、代行料の支払いを受けるための銀行口座情報を入力する口座情報入力欄が設けられている。
【００２２】
図６に示す代行員会員登録ページには、入力確認ボタン６０が設けられている。入力確認ボタン６０には、入力された各情報を確認のために表示するページがリンクしている。このページには送信ボタンが設けられており、この送信ボタンが代行員会員登録プログラム３２の実行ボタンとなっている。
【００２３】
記憶部２には、代行可能情報ファイルとしての代行員情報ファイル２２が記憶されている。図７は、代行員情報ファイルの構造の一例を示した概略図である。図７に示すように、代行員情報ファイル２２は、氏名やメールアドレス等の個人情報に加え、「対応可能地域」のフィールドや、「対応可能時間（平日）」、「対応可能時間（土曜）」、「対応可能時間（日祝）」、「銀行口座情報」のフィールドを有している。代行員会員登録プログラムは、代行員会員ＩＤを生成し、入力された代行員の各情報とともに代行員情報ファイル２２の新たなレコードに記録するようプログラミングされている。
【００２４】
支援サイトは、依頼者会員向けのサービスとして、依頼情報登録、代行員情報閲覧、発注通知等のサービスを用意している。以下、これらについて説明する。
図２に示すように、トップページには、依頼者ログインボタン６８が設けられている。依頼者ログインボタン６８には、依頼者ログインページがリンクしている。依頼者ログインページには、依頼者会員ＩＤ及びパスワードの入力欄と、送信ボタンが設けられている。依頼者端末４において依頼者会員ＩＤ及びパスワードが正しく入力されて送信ボタンが押されると、依頼者会員として支援サーバ１にログインすることが可能となっている。
【００２５】
依頼者会員としてログインすると、依頼者トップページが表示される。図８は、依頼者トップページの一例を示した概略図である。
図８に示すように、依頼者トップページには、依頼情報登録ボタン６９が設けられている。依頼情報登録ボタンには依頼情報登録ページがリンクしている。図９は、依頼情報登録ページの一例を示した概略図である。
【００２６】
図９に示すように、依頼情報登録ページには、依頼希望日時入力欄７０、受け取り希望日時入力欄７１、洗濯物量入力欄７２等が設けられている。依頼希望日時入力欄７０は、洗濯物を渡して洗濯を依頼する希望日時を入力する欄である。この実施形態では、代行員は洗濯物を依頼者の自宅に取りに行くことが想定されているので、依頼希望日時入力欄は、代行員の来訪を希望する日時ということになる。
【００２７】
受け取り希望日時入力は、洗濯済みの洗濯物を受け取る希望日時である。受け取りについても依頼者の自宅が前提になっているので、洗濯物の引き渡しのための代行員の来訪を希望する日時が受け取り希望日時入力欄７１入力される。
洗濯物量入力欄７２は、何回分の量の洗濯物かを入力する欄である。最大３回分までの量となっている。この回数は、最も単価の安い洗濯機・乾燥機を使用した場合に何回分の量ということである。ここで洗濯された回数は、代行員が立て替えて支払うコインランドリーの利用料を事前に算出するのに使用される。
【００２８】
依頼情報登録ページには、入力確認ボタン７３が設けられている。入力確認ボタン７３には入力確認ページがリンクしており、依頼情報登録ページで入力された情報が確認のために表示されるようになっている。入力確認ページには、送信ボタンが設けられている。支援サーバ１には、依頼情報登録プログラム３１が実装されており、この送信ボタンは依頼情報登録プログラム３１の実行ボタンとなっている。
【００２９】
依頼情報登録プログラム３１は、依頼情報登録ページで入力された各情報を依頼情報ファイル２１に記録するプログラムである。図１０は、依頼情報ファイル２１の構造の一例を示した概略図である。図１０に示すように、依頼情報ファイル２１は、「依頼ＩＤ」、「送信日時」、「依頼者会員ＩＤ」、「依頼場所」、「依頼場所データ」、「依頼希望日時」、「受け取り希望日時」、「洗濯物量」、「代行員会員ＩＤ」、「依頼完了有無」、「代行完了有無」等のフィールドから成るレコードを多数記録したデータベースファイルである。
【００３０】
依頼情報登録プログラム３１は、起動すると、依頼ＩＤを生成するとともに依頼情報ファイル２１に新規レコードを追加し、各情報を各フィールドに記録するようプログラミングされている。尚、「依頼者会員ＩＤ」にはログインの際に保持したＩＤを記録する。「送信日時」にはプログラムの実行日時を記録する。「依頼場所」は、依頼者会員情報ファイルから取得した当該依頼者会員の住所を記録する。「依頼者場所データ」は、住所を緯度・経度に変換したデータを記録する。
【００３１】
図８に示すように、依頼者トップページには、代行員情報閲覧ボタン７４が設けられている。支援サーバ１には、代行可能情報閲覧プログラムとして代行員情報閲覧プログラム３８が実装されており、代行員情報閲覧ボタン７４は代行員情報閲覧プログラム３８の実行ボタンとなっている。
図１１は、代行員閲覧プログラムの実行結果を示した画面の一例を示した概略図である。図１１に示すように、代行員情報閲覧プログラム３８は、依頼者が依頼可能な代行員の情報をリスト表示するプログラムとなっている。
【００３２】
より具体的に説明すると、代行員情報閲覧プログラム３８は、ログインの際に保持した依頼者会員ＩＤで依頼者会員情報ファイルを検索し、当該会員の住所の情報を取得する。そして、当該住所を緯度・経度情報に変換した上で代行員情報ファイル２２を検索し、当該住所が代行可能地域に入っている全ての代行員の情報を取得する。そして、図１１に示すようにリスト表示するようプログラミングされている。
図１１に示すように、代行員情報閲覧ページにおいて、リストの各行には「依頼する」と表記された依頼ボタン７４０が設けられている。各依頼ボタン７４０は、依頼情報登録ページ経由を経由せずに代行員閲覧ページが表示された場合、依頼情報登録ページを表示するようリンクが設定されている。この際、当該依頼ボタン７４０の行の代行員の氏名が代行員選択欄７０２に組み込まれた状態で依頼情報登録ページが表示される。また、後述するように、依頼情報登録ページから代行員情報閲覧ページが呼び出された後にいずれかの依頼ボタン７４０が押された場合、選択された代行員の氏名が、呼び出し元の依頼情報登録ページの代行員選択欄７０２に組み込まれて表示される。
【００３３】
一方、支援システムは、代行員のためのサービスとして、依頼情報閲覧サービス等を用意している。以下、この点について説明する。
図１２は、代行員トップページの概略図である。図２に示すトップページにおいて、代行員ログインボタン７５を押すと、代行員会員ＩＤ及びパスワードを入力するページが表示され、代行員会員ＩＤ及びパスワードが正しく入力されて送信ボタンが押されると、代行員としてログインがされ、図１２に示す代行員トップページが表示される。
【００３４】
図１２に示すように、代行員トップページには、依頼情報閲覧ボタン７６が設けられている。支援サーバ１には依頼情報閲覧プログラム３９が実装されており、依頼情報閲覧ボタン７６は依頼情報閲覧プログラム３９の実行ボタンとなっている。
依頼情報閲覧プログラム３９は、ログインの際に保持された代行員会員ＩＤで代行員情報ファイル２２を検索し、当該代行員のレコードの「対応可能地域」の値を取得する。そして、依頼情報ファイル２１を開き、「依頼完了有無」が偽値であるレコードの「依頼場所データ」の値を取得し、「対応可能地域」の値と比較して対応可能地域に入っていれば、「依頼ＩＤ」を変数に保持する。この処理を、「依頼完了有無」が偽値である全てのレコードについて行い、対応可能地域に入っている全ての依頼情報をリスト化して代行員端末５に送信し、代行員端末５上に表示する。
【００３５】
図１３は、依頼情報閲覧プログラムの実行結果の一例を示す概略図である。図１３に示すように、依頼情報閲覧プログラム３９は、ログインした代行員の対応可能地域内に「依頼場所」がある依頼情報をリスト化して代行員端末５に表示するようプログラミングされている。以下、依頼情報閲覧プログラム３９の実行結果を示すページを、依頼情報表示ページという。
図１３に示すように、依頼情報表示ページに示されたリスト（依頼情報）の各行には、「詳細」と表示されたボタン（以下、依頼情報詳細ボタン）７７が表示されるようになっている。
【００３６】
支援サーバ１には、依頼情報詳細表示プログラム８１が実装されている。各依頼情報詳細ボタン７７は、依頼情報詳細表示プログラム８１の実行ボタンとなっている。各依頼情報詳細ボタン７７には、依頼ＩＤが埋め込まれており、依頼ＩＤを引数にして依頼情報詳細表示プログラム８１を実行するようプログラミングされている。
【００３７】
図１４は、依頼情報詳細表示プログラムの実行結果の一例を示した概略図である。以下、依頼情報詳細表示プログラム８１の実行結果を示すページを依頼情報詳細ページという。
図１４に示すように、依頼情報詳細ページは、依頼ＩＤで特定される依頼情報の詳細情報が表示されるようになっている。依頼情報詳細表示プログラム８１は、依頼ＩＤで依頼情報ファイル２１を検索し、該当するレコードの各フィールドの値を取得して依頼情報詳細ページに組み込んで表示するようプログラミングされている。
【００３８】
図１４に示すように、依頼情報詳細ページには、「応募する」と表記された応募ボタン７８が組み込まれるようになっている。支援サーバ１には、応募通知プログラム３５が実装されており、応募ボタン７８は応募通知プログラム３５の実行ボタンとなっている。応募ボタン７８には、詳細が表示された依頼に係る依頼ＩＤが組み込まれており、応募ボタン７８は依頼ＩＤを引数にして応募通知プログラム３５を実行する。
【００３９】
応募通知プログラム３５は、依頼ＩＤで依頼情報ファイル２１を検索し、該当するレコードの依頼者会員ＩＤを取得する。そして、依頼者会員ＩＤで依頼者情報ファイル２３を取得し、該当するレコードの「メールアドレス」のフィールドの値を取得する。そして、定型のメール文に、ログインの際に保持した代行員会員ＩＤを組み込んだ状態で応募通知メールを生成し、取得したメールアドレスに送信する。
【００４０】
図１５は、このようにして送信された応募通知メールの一例を示した概略図である。図１５に示すように、応募通知メールには、応募してきた代行員の氏名等の情報と、「代行を発注する」と表記された発注通知ボタン（この例ではハイパーリンク）７９が設けられている。支援サーバ１には発注通知プログラム３６が実装されており、発注通知ボタン７９は発注通知プログラム３６の実行ボタンとなっている。発注通知ボタン７９には、依頼ＩＤと代行員会員ＩＤ（応募通知メールに組み込んだ代行員会員ＩＤ）が埋め込まれており、発注通知プログラム３６は、依頼情報ファイル２１を依頼ＩＤで検索し、該当するレコードの「依頼完了」の値を真値に変更するとともに、「代行員会員ＩＤ」のフィールドに当該代行員会員ＩＤを記録するようプログラミングされている。
【００４１】
一方、洗濯代行の依頼は、依頼者が代行員を指定して行うことができるようになっている。以下、この点について説明する。
図９に示すように、依頼情報登録ページには、「代行員リスト」と表記された代行員リスト表示ボタン７０１が設けられている。代行員リスト表示ボタン７０１は、依頼者トップページに設けられた代行員情報閲覧ボタン７４と同様のボタンであり、依頼可能な代行員の情報をリスト表示する代行員情報閲覧プログラム３８の実行ボタンである。
【００４２】
代行員情報閲覧プログラム３８は、ログインの際に保持された依頼者会員ＩＤで依頼者情報ファイル２３を検索し、「依頼場所データ」のフィールドの値を取得する。そして、代行員情報ファイル２２の各レコードの「対応可能地域」にこの値が入っているかどうか判断する。入って入れば、リスト表示用の変数に格納する。代行員情報ファイル２２の全てのレコードについて処理を行ったら、各代行員の情報を各レコードから取得して図１１に示すにようにリスト表示する。
【００４３】
依頼情報登録ページから代行員情報を表示した場合において、いずれかの依頼ボタン７４０が押されると、当該行の代行員の代行員会員ＩＤが変数に保持され、依頼情報登録ページの代行員選択欄７０２に、選択された代行員の氏名が組み込まれるようになっている。
また、前述した依頼情報登録プログラム３１は、代行員選択欄７０２に氏名が組み込まれている状態で起動すると、依頼情報の登録を行った後、依頼通知プログラム３３をサブルーチンとして実行するようプログラミングされている。依頼情報登録プログラムは、代行員会員ＩＤ及び依頼ＩＤを引数にして依頼通知プログラムを実行する。
【００４４】
依頼通知プログラム３３は、代行員会員ＩＤで代行員情報ファイル２２を検索し、「メールアドレス」のフィールドの値を取得する。その上で、依頼情報を定型のメール文に組み込み、取得したメールアドレスに依頼通知メールとして送信するようプログラミングされている。
図１６は、代行員端末５に送信された依頼通知メールの一例を示した概略図である。図１６に示すように、依頼通知メールには、依頼内容（依頼情報登録ページで入力された内容）とともに、「代行を受注（承諾）する」と表記された受注通知ボタン（ハイパーリンク）７０３が組み込まれるようになっている。
【００４５】
支援サーバ１には受注通知プログラム３４が実装されており、受注通知ボタン７０３は受注通知プログラム３４の実行ボタンとなっている。受注通知ボタン７０３には、依頼ＩＤが組み込まれており、受注通知プログラム３４は、依頼ＩＤと依頼通知メールの送信先のメールアドレスに係る代行員会員ＩＤとを引数にして実行されるようになっている。受注通知プログラム３４は、依頼ＩＤで依頼情報ファイル２１を検索し、該当するレコードの「担当代行員」のフィールドに代行員会員ＩＤを記録し、「依頼完了」のフィールドに真値を記録するようプログラミングされている。
以上の説明から解るように、この実施形態では、依頼者が依頼情報の登録の際に代行員を特定して依頼をしてこれに対して代行員が受注通知をするか、又は依頼情報を閲覧した代行員が応募をしてこれに対して依頼者が発注通知をすることにより洗濯代行の依頼が完了するようになっている。
【００４６】
また、洗濯代行が正常に完了したことを支援システムが確認するため、代行員向けに完了通知のメニューを設けている。図１２に示すように、代行員トップページには、完了通知メニューボタン７０４が設けられている。支援サーバ１には、完了通知メニュープログラム８２が実装されており、完了通知メニューボタン７０４は、完了通知メニュープログラム８２の実行ボタンとなっている。完了通知メニュープログラム８２は、ログインの際に保持した代行員会員ＩＤで依頼情報ファイル２１を検索し、代行員会員ＩＤが一致するレコードの依頼ＩＤを保持する。そして、完了通知メニュープログラム８２は、依頼情報を完了通知ページに組み込んで代行員端末５に送信し、代行員端末５に表示するようプログラミングされている。
【００４７】
図１７は、完了通知ページの一例を示した概略図である。図１７に示すように、完了通知ページには、当該代行員が担当となっている洗濯代行の依頼情報とともに、完了通知ボタン７０５が表示されるようになっている。支援サーバ１には完了通知プログラム８３が実装されており、完了通知ボタン７０５は、完了通知プログラム８３の実行ボタンとなっている。完了ボタン７０５には依頼ＩＤが埋め込まれており、完了通知プログラム８３は依頼ＩＤを引数にして実行される。
【００４８】
完了通知プログラム８３は、依頼ＩＤで依頼情報ファイル２１を検索し、該当するレコードの「完了有無」のフィールドに真値を記録するようプログラミングされている。それとともに、完了通知プログラムは、当該レコードの「依頼者会員ＩＤ」の値を取得してこの値で依頼者情報ファイル２３を検索し、該当するレコードの「メールアドレス」の値を取得する。その上で、そのメールアドレスに、完了通知メールを送信するよう完了通知プログラムはプログラミングされている。完了通知メールの図示は省略するが、依頼された洗濯代行の完了が代行者から通知されたことを伝える内容となっている。
【００４９】
この実施形態では、完了通知の送信をもって洗濯代行が完了し、代行者に代行手数料が支払われる仕組みとなっており、完了通知メールにその旨が表記されるようになっている。但し、完了通知メール中には、事故情報ボタンが設けられている。事故情報ボタンは、洗濯代行が正常に完了しなかった旨を依頼者が支援システムに対して知らせるためのボタンである。事故情報ボタンは、正常に完了しなかった状況をメールで支援システムに知らせるボタンである。完了通知後の一定時間内（例えば２４時間以内）に事故情報ボタンが押されない限り、洗濯代行は正常に完了したとして代行料及びコインランドリーの利用料（代行員が立て替えた代金）が代行者に支払われる。
【００５０】
代金料の額については詳細な説明を省略したが、この実施形態では定額制を採用している。マッチング事業者は、コインランドリーにある１台の洗濯機で１回のみの洗濯代行（洗濯及び乾燥）について単価を策定している。これには、洗濯物の受け取りと洗濯後の受け渡しが含まれる。洗濯機及び乾燥機の使用回数が２回以上の場合、それ応じた割増代金が設定されている。
【００５１】
尚、この実施形態では、マッチング事業者は、依頼者が支払う代行料のうちの一部を手数料として徴収する仕組みとなっている。例えば、依頼者が会員登録すると、一定の金額の預け金の請求がマッチング事業者から依頼者に対してされる。この請求は、例えば振込用紙となっていてコンビニエンスストア等で振り込むことができるようにされる。預け金の振込の後、依頼者は洗濯代行の依頼が可能となる。マッチング事業者は、上記のように完了通知が送信された洗濯代行の依頼を依頼者会員ＩＤごとに集計し、代金（代行料及びコインランドリー利用料）を預け金から差し引く。また、完了通知が送信された洗濯代行の依頼を代行者ＩＤごとに集計し、手数料を指し引いた合計額を算出してこの額を代行者の銀行口座に振り込む。銀行口座は、代行員情報ファイル２２の「銀行口座情報」の値である。
【００５２】
上記のような支援システムの全体の動作について、以下にまとめて説明する。以下の説明は、コインランドリー洗濯代行マッチング支援方法の実施形態の説明でもある。
マッチング事業者は、支援サイトを開設し、「コインランドリー」、「洗濯」、「代行」等のキーワードでヒットするよう検索エンジンへの登録をしておく。支援サイトを見た者のうち、コインランドリーを使用した洗濯を他人に依頼したいと思っている者は、依頼者として会員登録をする。そして、必要な預け金の支払いをする。また、学生のようなある程度時間に余裕のある者は、余った時間で手軽に収入が期待できると、代行員会員登録をする。
【００５３】
代行を依頼したい洗濯物が生じると、依頼者は、依頼者端末４を操作して支援サイトにアクセスし、依頼情報の登録をする。この際、代行員を指定したいと思った場合、代行員情報閲覧ボタン７４を押して代行員リストを依頼者端末４に表示する。そして、依頼したい代行員があれば、依頼ボタン７４０を押し、代行員を指定した状態で依頼情報を登録し、その上でログアウトする。特に指定したい代行員が無ければ、代行員選択欄７０２を空欄として状態で依頼情報の登録をしてログアウトする。
【００５４】
一方、代行員として登録をした者は、代行員端末５を操作してログインし、代行員端末５に代行員トップページを表示する。そして、依頼情報閲覧ページを表示する。リスト表示される依頼情報のいずれか（１つのみの場合もある）の応募ボタン７８を押して応募通知プログラム３５を実行させる。これにより、当該依頼情報を登録した依頼者の依頼者端末４に応募通知メールが送信される。依頼者は、応募通知メールを確認し、その者に依頼をして良いと思ったら、発注通知ボタン７９を押す。これにより、当該依頼を記録した依頼情報ファイル２１の「依頼完了」のフィールドに真値が記録され、発注通知メールが当該応募をした代行員の代行員端末５に送信される。
【００５５】
また、依頼者が依頼ボタン７４０を押して代行員を指定し、依頼通知メールが代行員端末５に送信された場合、代行員は、依頼通知メールの内容を見て依頼に応じても良いと判断した場合、受注通知ボタン７０３を押し、受注通知プログラム３４を実行させる。これにより、当該依頼を記録した依頼情報ファイル２１のレコードの「依頼完了」のフィールドに真値が記録され、当該依頼をした依頼者の依頼者端末４に受注通知メールが送信される。
【００５６】
このようにして依頼が完了した後、依頼において指定された引き渡し日時に代行員は依頼者の家を訪問し、洗濯物を受け取る。そして、コインランドリーで洗濯をし、指定された受け取り日時に再度訪問して洗濯済みのものを受け渡す。その後、代行員は、代行員端末５を操作して完了通知ボタン７０５を押し、完了通知プログラム８３を実行させる。
このようにして、各依頼情報が支援サーバ１に登録され、各代行員がコインランドリーを使用した洗濯代行の業務を遂行する。そして、一定期間ごとに（例えば毎月）料金の集計が行われる。即ち、依頼者会員ＩＤごとに代金が集計されて預け金から差し引かれる。また、手数料を差し引いた状態で代行者ＩＤごとに代金が集計され、合計額が代行者の口座に振り込まれる。
【００５７】
このような実施形態の支援システムによれば、コインランドリーを利用しようと思っていても忙しくて利用できないでいた者が代行サービスを利用することで手軽にコインランドリーを利用できるようになる。このため、兼業主婦等の忙しい者にとってより利便性の高いサービスとなる。また、代行員にとっては、余った時間を有効活用することで収入が得られることになり、比較的時間のある学生や専業主婦等にとって有益となる。さらに、コインランドリーの事業者にとっても、コインランドリーの回転率が向上するため、収益性の向上が期待できる。
【００５８】
また、上記実施形態では、依頼者が依頼通知をした後、代行員から受注通知が送信されるので、代行員が依頼を了解した旨が依頼者において確認できる。このため、依頼者において依頼が了解されていないのではないかという不安にかられることがなくなる。
さらに、依頼者が代行員を指定せずに登録した依頼情報について代行員から応募があった際、発注通知が代行員端末に送信されるので、代行員において自己に発注があった旨を確認することができる。このため、代行員において安心して依頼を遂行することができる。
【００５９】
尚、上記実施形態では、代行可能情報として代行員の情報を予め依頼者が閲覧できるようになっている。支援システムの構成としては、支援サーバ１上のプログラムが代行可能な代行員を代行員情報ファイルから自動的に抽出する構成も採用し得るが、代行可能情報を見てから依頼通知をした方が、代行可能情報に応じて時間を変更することができるので、より柔軟に依頼をすることができる。
また、この実施形態では、代行可能な代行員の中から依頼者が特定の代行員を選んで依頼することもできる。このため、例えば以前に依頼して良い印象であった代行員に依頼するなどすることができ、より安心して依頼をする上で好適な構成となっている。
【００６０】
尚、この実施形態では、代行員情報としては、代行員の評価が含まれている。具体的には、代行員情報ファイルに「評価」のフィールドが設けられている。そして、完了した各依頼（完了通知プログラム８３が実行された依頼）について、各依頼者から評価を送信してもらうようになっている。具体的には、完了通知メールに評価送信用のボタン（ハイパーリンク）が設けてられており、それが評価記録用のプログラムの実行ボタンとされている。評価記録用のプログラムは、依頼者端末４での選択によりＡ〜Ｃ等のランクを代行員情報ファイルに記録するプログラムとなっている。そして、代行員情報閲覧プログラム３８は、この評価も併せて代行員情報として依頼者端末４に表示する。このような実施形態の構成では、依頼者は評価の良い代行員を選んで依頼することができるようになるし、代行員はより良い評価がされるように質の良いサービスを提供するようになるから、代行サービスの信頼性を高めることができる。
【００６１】
尚、上記実施形態において、洗濯物の量は、洗濯機・乾燥機を使用した回数としての量であり、コインランドリーの利用料に直結するものであるが、依頼者の自己申告となっている。依頼時に、申告した量よりも多い場合もあり、１回分でできない量を１回分として申告する場合もあり得る。そうなると、代行員の立替金が多くなって損をしてしまうこともあり得るので、公平を期すため、代行員が計量バッグのようなものを持参すると好適である。依頼者が依頼者登録をした際に指定したデフォルトのコインランドリーにおける最低単価に対応した量の計量バッグを、コインランドリー事業者が指定して代行員に持参させ、それによって容積を確認しながら洗濯物を受け取るようにすると好適である。最低単価で洗濯できる洗濯物の最大量は、コインランドリーによって大きくは違わないので、一律の（標準の）計量バックを定めて代行員に持参させても良い。
【００６２】
上記各実施形態では、依頼者の自宅の近くにあるコインランドリーを利用するように説明したが、これは強制ではないので、他のコインランドリー（例えば代行員の自宅の近くのコインランドリー）を利用する場合もある。但し、代金に含まれるコインランドリーの利用料は、依頼者情報登録の際に登録された依頼者の自宅付近のコインランドリーを利用することを前提に定められ、他のコインランドリーを使用したとしてもこの利用料の額が代行員に支払われる。
【００６３】
また、各実施形態において、洗濯物の受け取り及び洗濯済みの物の引き渡しについては、依頼者が自宅に不在の状態で行われる場合もあり得る。例えば、依頼者の自宅の玄関ドアの付近に専用のバックを置いておき、そのバッグに洗濯物を入れておく。代行員はそこから洗濯物を受け取り、洗濯済みの物をバッグに戻すことで引き渡す。代行完了のメールが依頼者に届いてそれに対して事故情報を通知しない限り、正常に代行したものとして扱うので、このように依頼者が不在であっても、代行業務の遂行は可能である。尚、代行員がバッグごと洗濯物を運搬するようにしても良いし、上述した計量用のバッグを兼用しても良い。
【００６４】
さらに、洗濯物の受け取りや引き渡しにコインロッカーが使用されることもある。コインロッカーについては、駅などの施設に設置されているものを使用しても良いが、コインランドリーがコインロッカーを備えていて、それを使用する構成が好適である。いずれの場合も、コインロッカーはパスワード式のものであることが好ましい。依頼者がコインロッカーに洗濯物を入れ、代行員がコインロッカーから洗濯物を取り出して選択し、洗濯済みのものをコインロッカーに戻しておく（別のコインロッカーの場合もある）。コインロッカーに対して依頼者がパスワードを設定し、パスワードは、依頼の際に支援サーバ１経由で依頼者端末４から代行員端末５に送信される。タッチパネルでパスワードを入力して施錠、開錠を行うタッチパネル式のコインロッカーであると、より好ましい。
【００６５】
また、各実施形態において、代行員の性別を依頼者が指定できるようになっている。女性の依頼者が男性の代行員に下着等の衣服の洗濯を依頼するのは躊躇われる。このようなことを考慮し、依頼情報登録欄に、代行員の性別を指定する欄を設け、指定された性別の代行員のみが代行できるようにしている。具体的には、依頼情報閲覧プログラム３９、指定された性別とは異なる性別の代行員については、依頼情報が閲覧できないようにして応募ができないようプログラミングされている。
【００６６】
尚、上記実施形態において、依頼者や代行員への連絡はメールを採用したが、いわゆるスマホアプリのプッシュ通知等も採用することができる。具体的には、支援サイト用のアプリを依頼者端末４や代行員端末５に支援サーバ１からダウンロードしてもらうようにする。このアプリの機能として、代行員として指定されて依頼通知があった場合、当該代行員の代行員端末５にプッシュ通知がされるようにしたり、登録した依頼情報について代行員から応募があった場合、当該依頼者の依頼者端末４にプッシュ通知がされるようにしたりする場合もあり得る。
【符号の説明】
【００６７】
１  支援サーバ
２  記憶部
２１  依頼情報ファイル
２２  代行員情報ファイル
２３  依頼者情報ファイル
３１  依頼情報登録プログラム
３２  代行員会員登録プログラム
３３  依頼通知プログラム
３４  受注通知プログラム
３５  応募通知プログラム
３６  発注通知プログラム
３７  依頼者会員登録プログラム
３８  代行員情報閲覧プログラム
３９  依頼情報閲覧プログラム
４  依頼者端末
５  代行員端末
９  インターネット
【図１】
2020038484.tif 000003
【図２】
2020038484.tif 000004
【図３】
2020038484.tif 000005
【図４】
2020038484.tif 000006
【図５】
2020038484.tif 000007
【図６】
2020038484.tif 000008
【図７】
2020038484.tif 000009
【図８】
2020038484.tif 000010
【図９】
2020038484.tif 000011
【図１０】
2020038484.tif 000012
【図１１】
2020038484.tif 000013
【図１２】
2020038484.tif 000014
【図１３】
2020038484.tif 000015
【図１４】
2020038484.tif 000016
【図１５】
2020038484.tif 000017
【図１６】
2020038484.tif 000018
【図１７】
2020038484.tif 000019
【手続補正書】
【提出日】平成31年1月28日(2019.1.28)
【手続補正１】
【補正対象書類名】特許請求の範囲
【補正対象項目名】全文
【補正方法】変更
【補正の内容】
【特許請求の範囲】
【請求項１】
コインランドリーを使用した洗濯を他人（コインランドリーを運営する事業主体を除く）に依頼する際に使用されるコインランドリー洗濯代行マッチング支援システムであって、
洗濯を依頼する依頼者が操作する端末である依頼者端末と、コインランドリーを使用した洗濯を代行する代行員（コインランドリーを運営する事業主体を除く）が操作する端末である代行員端末との双方からアクセスがされる支援サーバと、
記憶部と
を備えており、
支援サーバは、依頼情報登録手段、代行可能情報登録手段及び依頼通知手段として機能するサーバであり、
依頼情報登録手段は、依頼者が洗濯物を代行員に渡して洗濯を依頼することを希望する日時である依頼希望日時を含む依頼情報を、依頼者端末からの送信に従って依頼情報ファイルに記録する手段であり、
代行可能情報登録手段は、コインランドリーを使用した洗濯の代行の依頼を受けることができる地域の情報を含む代行可能情報を、代行員端末からの送信に従って代行可能情報ファイルに記録する手段であり、
依頼通知手段は、依頼者端末からの送信に従って代行員端末に依頼通知を送信する手段であり、依頼通知は依頼希望日時を送信して洗濯代行を依頼する旨の通知であることを特徴とするコインランドリー洗濯代行マッチング支援システム。
【請求項２】
前記支援サーバは、受注通知手段として機能するサーバであり、
受注通知手段は、前記依頼通知手段が前記依頼通知を送信した代行員端末を操作する代行員に依頼を承諾した旨の受注通知を代行員端末により送信させる手段であり、当該受注通知を、前記依頼通知を送信した依頼者端末に送信する手段であることを特徴とする請求項１記載のコインランドリー洗濯代行マッチング支援システム。
【請求項３】
前記支援サーバは、前記代行員端末から送信された前記代行可能情報を前記依頼者端末に送信して依頼者に閲覧させる代行可能情報閲覧手段として機能するサーバであり、
前記依頼通知手段は、代行可能情報閲覧手段が閲覧させた代行可能情報について前記依頼通知の送信を前記依頼者端末により依頼者に行わせることができる手段であることを特徴とする請求項１又は２記載のコインランドリー洗濯代行マッチング支援システム。
【請求項４】
前記代行可能情報閲覧手段は、複数の異なる代行員についての代行可能情報を閲覧させることができる手段であり、
前記依頼通知手段は、いずれかの代行員を選択して前記依頼通知の送信を前記依頼者端末に行わせることができる手段であることを特徴とする請求項３記載のコインランドリー洗濯代行マッチング支援システム。
【請求項５】
前記代行可能情報閲覧手段は、前記各代行員の評価とともに前記代行可能情報を閲覧させることができる手段であることを特徴とする請求項４記載のコインランドリー洗濯代行マッチング支援システム。
【請求項６】
前記代行可能情報には、前記代行員の性別が含まれており、
前記依頼通知手段は、前記依頼者が性別を選択した上で前記依頼通知の送信を行わせることができる手段であることを特徴とする請求項１乃至５いずれかに記載のいコインランドリー選択代行マッチング支援システム。
【請求項７】
コインランドリーを使用した洗濯を他人（コインランドリーを運営する事業主体を除く）に依頼する際に使用されるコインランドリー洗濯代行マッチング支援システムであって、
洗濯を依頼する依頼者が操作する端末である依頼者端末と、コインランドリーを使用した洗濯を代行する代行員（コインランドリーを運営する事業主体を除く）が操作する代行員端末との双方からアクセスがされる支援サーバと、
記憶部と
を備えており、
支援サーバは、依頼情報登録手段、依頼情報閲覧手段及び応募通知手段として機能するサーバであり、
依頼情報登録手段は、依頼者が洗濯物を代行員に渡して洗濯を依頼することを希望する日時である依頼希望日時を含む依頼情報を、依頼者端末からの送信に従って依頼情報ファイルに記録する手段であり、
依頼情報閲覧手段は、依頼者端末から送信された依頼情報を代行員端末に送信して代行員に閲覧させる手段であり、
応募通知手段は、代行員が閲覧した依頼情報について代行を行う用意がある旨の応募通知を代行員端末により代行員に行わせる手段であり、送信された応募通知を当該依頼情報を送信した依頼者の依頼者端末に送信する手段であることを特徴とするコインランドリー洗濯代行マッチング支援システム。
【請求項８】
前記支援サーバは、発注通知手段として機能するサーバであり、
発注通知手段は、前記応募通知がされた依頼について洗濯を発注する旨の発注通知を前記依頼者端末により依頼者に送信させる手段であり、送信された発注通知を前記応募通知をした代行員に係る代行員端末に送信する手段であることを特徴とする請求項７記載のコインランドリー洗濯代行マッチング支援システム。
【請求項９】
前記応募通知手段は、代行員の性別が特定できる状態で前記応募通知を前記依頼者端末に送信する手段であり、
前記発注通知手段は、依頼者が性別を確認した上で前記発注通知の送信を行わせることができる手段であることを特徴とする請求項８記載のコインランドリー選択代行マッチング支援システム。
【手続補正２】
【補正対象書類名】明細書
【補正対象項目名】０００５
【補正方法】変更
【補正の内容】
【０００５】
上記課題を解決するため、本願の請求項１記載の発明は、コインランドリーを使用した洗濯を他人（コインランドリーを運営する事業主体を除く）に依頼する際に使用されるコインランドリー洗濯代行マッチング支援システムであって、
洗濯を依頼する依頼者が操作する端末である依頼者端末と、コインランドリーを使用した洗濯を代行する代行員（コインランドリーを運営する事業主体を除く）が操作する端末である代行員端末との双方からアクセスがされる支援サーバと、
記憶部と
を備えており、
支援サーバは、依頼情報登録手段、代行可能情報登録手段及び依頼通知手段として機能するサーバであり、
依頼情報登録手段は、依頼者が洗濯物を代行員に渡して洗濯を依頼することを希望する日時である依頼希望日時を含む依頼情報を、依頼者端末からの送信に従って依頼情報ファイルに記録する手段であり、
代行可能情報登録手段は、コインランドリーを使用した洗濯の代行の依頼を受けることができる地域の情報を含む代行可能情報を、代行員端末からの送信に従って代行可能情報ファイルに記録する手段であり、
依頼通知手段は、依頼者端末からの送信に従って代行員端末に依頼通知を送信する手段であり、依頼通知は依頼希望日時を送信して洗濯代行を依頼する旨の通知であるという構成を有する。
また、上記課題を解決するため、請求項２記載の発明は、前記請求項１の構成において、前記支援サーバは、受注通知手段として機能するサーバであり、
受注通知手段は、前記依頼通知手段が前記依頼通知を送信した代行員端末を操作する代行員に依頼を承諾した旨の受注通知を代行員端末により送信させる手段であり、当該受注通知を、前記依頼通知を送信した依頼者端末に送信する手段であるという構成を有する。
また、上記課題を解決するため、請求項３記載の発明は、前記請求項１又は２の構成において、前記支援サーバは、前記代行員端末から送信された前記代行可能情報を前記依頼者端末に送信して依頼者に閲覧させる代行可能情報閲覧手段として機能するサーバであり、
前記依頼通知手段は、代行可能情報閲覧手段が閲覧させた代行可能情報について前記依頼通知の送信を前記依頼者端末に行わせることができる手段であるという構成を有する。
また、上記課題を解決するため、請求項４記載の発明は、前記請求項３の構成において、前記代行可能情報閲覧手段は、複数の異なる代行員についての代行可能情報を閲覧させることができる手段であり、
前記依頼通知手段は、いずれかの代行員を選択して前記依頼通知の送信を前記依頼者端末に行わせることができる手段であるという構成を有する。
また、上記課題を解決するため、請求項５記載の発明は、前記請求項１乃至４いずれかの構成において、前記代行可能情報閲覧手段は、前記各代行員の評価とともに前記代行可能情報を閲覧させることができる手段であることを特徴とする請求項４記載のコインランドリー洗濯代行マッチング支援システム。
また、上記課題を解決するため、請求項６記載の発明は、前記請求項１乃至５いずれかの構成において、前記代行可能情報には、前記代行員の性別が含まれており、
前記依頼通知手段は、前記依頼者が性別を選択した上で前記依頼通知の送信を行わせることができる手段であるという構成を有する。
また、上記課題を解決するため、請求項７記載の発明は、コインランドリーを使用した洗濯を他人（コインランドリーを運営する事業主体を除く）に依頼する際に使用されるコインランドリー洗濯代行マッチング支援システムであって、
洗濯を依頼する依頼者が操作する端末である依頼者端末と、コインランドリーを使用した洗濯を代行する代行員（コインランドリーを運営する事業主体を除く）が操作する代行員端末との双方からアクセスがされる支援サーバと、
記憶部と
を備えており、
支援サーバは、依頼情報登録手段、依頼情報閲覧手段及び応募通知手段として機能するサーバであり、
依頼情報登録手段は、依頼者が洗濯物を代行員に渡して洗濯を依頼することを希望する日時である依頼希望日時を含む依頼情報を、依頼者端末からの送信に従って依頼情報ファイルに記録する手段であり、
依頼情報閲覧手段は、依頼者端末から送信された依頼情報を代行員端末に送信して代行員に閲覧させる手段であり、
応募通知手段は、代行員が閲覧した依頼情報について代行を行う用意がある旨の応募通知を代行員端末により代行員に行わせる手段であり、送信された応募通知を当該依頼情報を送信した依頼者の依頼者端末に送信する手段であるという構成を有する。
また、上記課題を解決するため、請求項８記載の発明は、前記請求項７の構成において、前記支援サーバは、発注通知手段として機能するサーバであり、
発注通知手段は、前記応募通知がされた依頼について洗濯を発注する旨の発注通知を前記依頼者端末により依頼者に送信させる手段であり、送信された発注通知を前記応募通知をした代行員に係る代行員端末に送信する手段であるという構成を有する。
また、上記課題を解決するため、請求項９記載の発明は、前記請求項８の構成において、前記応募通知手段は、代行員の性別が特定できる状態で前記応募通知を前記依頼者端末４に送信する手段であり、
前記発注通知手段は、依頼者が性別を確認した上で前記発注通知の送信を行わせることができる手段であるという構成を有する。